(57)【特許請求の範囲】
【請求項１】
紙容器のトップシール部に、開封時にトップシール部の上端部を切り取るための破線部を全幅にわたり形成するとともに、トップシール部のスパウト側では前記破線部の上側を加熱溶着部、下側を非加熱溶着部とし、反スパウト側では前記破線部の上下両側を加熱溶着部としたことを特徴とする易開封性紙容器。
【請求項２】
破線部の始端に、切込みを形成したことを特徴とする請求項１に記載の易開封性紙容器。
【請求項３】
紙容器がゲーブルトップタイプであることを特徴とする請求項１に記載の易開封性紙容器。
【請求項４】
前記破線部がトップシール部の４枚合わせ部に形成されていることを特徴とする請求項１に記載の易開封性紙容器。
【請求項５】
スパウト側の前記破線部の上側を、紙素材のないラミネート層のみからなる加熱溶着部としたことを特徴とする請求項１に記載の易開封性紙容器。
【発明の詳細な説明】
【技術分野】
【０００１】
本発明は、牛乳やジュースなどの液体飲料の容器として広く用いられている紙容器の改良に関するものである。
【背景技術】
【０００２】
牛乳やジュースなどの液体飲料の紙容器としては、表裏両面にポリエチレン等の熱可塑性樹脂フィルムを積層した紙素材からなる容器が広く用いられている。容量が５００ｍＬ以上の場合にはゲーブルトップタイプが主として用いられ、容量が２００ｍＬ以下の場合にはブリックタイプが主として用いられている。
【０００３】
周知のように、ゲーブルトップタイプの紙容器の上端は加熱溶着されたトップシール部となっており、開封時にはトップシール部のスパウト側の下方にある左右両側の折り返し部を押し拡げてトップシール部の溶着を剥がしたうえ、その中央部を手前に引いて注ぎ口（スパウト）を形成する構造となっている。
【０００４】
しかし、紙容器のトップシール部は液漏れを防ぐ目的で強固に溶着されており、これを引き剥がすためにはある程度の力を要する。また無理に力を加えると、引き剥がす際に紙が意図せぬ方向に破れてしまうことがある。さらに、開封時に注ぎ口に指先を接触させることにより、注ぎ口が汚れてしまうこともある。このように紙容器には開封性に劣るという欠点があった。
【０００５】
そこで特許文献１に示されるように、スパウト側のトップシール部に剥離用の特殊なコート剤を塗布することにより、紙容器の開封性を高めることが行われている。しかしコート剤のコストや、工程管理の手数が増加するという問題がった。また、トップシール部の剥離性をあまり高めると、本来の液漏れ防止機能が低下するという問題もあった。
【０００６】
なお、ブリックタイプの紙容器の場合にはストロー挿入口が形成されていることが多いため、ゲーブルトップタイプに比較して開封性を高める要求は高くない。しかし使用後に口部を開放して内部を洗浄したいような場合には、やはり容易に開封できることが望まれる。
【先行技術文献】
【特許文献】
【０００７】
【特許文献１】特開２０１３−８６８６５号公報
【発明の概要】
【発明が解決しようとする課題】
【０００８】
従って本発明の目的は上記した従来の問題点を解決し、剥離用のコート剤を用いることなく、また液漏れ防止機能を低下させることなく、開封性を向上させた易開封性紙容器を提供することである。
【課題を解決するための手段】
【０００９】
上記の課題を解決するためになされた本発明の易開封性紙容器は、紙容器のトップシール部に、開封時にトップシール部の上端部を切り取るための破線部を全幅にわたり形成するとともに、トップシール部のスパウト側では前記破線部の上側を加熱溶着部、下側を非加熱溶着部とし、反スパウト側では前記破線部の上下両側を加熱溶着部としたことを特徴とするものである。
【００１０】
なお、破線部の始端に、切込みを形成することが好ましい。紙容器はゲーブルトップタイプとすることができ、好ましい実施形態においては、前記破線部はトップシール部の４枚合わせ部に形成されている。また、スパウト側の前記破線部の上側を、紙素材のないラミネート層のみからなる加熱溶着部としてもよい。
【発明の効果】
【００１１】
本発明の易開封性紙容器は、紙容器のトップシール部に、開封時にトップシール部の上端部を切り取るための破線部を全幅にわたり形成するとともに、トップシール部のスパウト側では前記破線部の上側を加熱溶着部、下側を非加熱溶着部とし、反スパウト側では前記破線部の上下両側を加熱溶着部としたものである。このため、破線部からトップシール部の上端部を切り取れば、スパウト側では破線部よりも下方には加熱溶着部が皆無であるか、ごく僅かに形成されているだけであるから、容易に注ぎ口を形成することができる。
【００１２】
また本発明の易開封性紙容器は、破線部を切り取るまでは、破線部の上側及び反スパウト側の上下両側が加熱溶着されているので、液漏れ防止機能が低下することもない。したがって本発明によれば、剥離用のコート剤を用いることなく、また液漏れ防止機能を低下させることなく、紙容器の開封性を向上させることができる。
【図面の簡単な説明】
【００１３】
【図１】本発明の第１の実施形態であるゲーブルトップタイプの易開封性紙容器を示す斜視図である。
【図２】図１の易開封性紙容器の展開図である。
【図３】本発明の参考形態を示す斜視図である。
【図４】本発明の第２の実施形態の要部を示す展開図である。
【図５】本発明の第３の実施形態を示す斜視図である。
【図６】図５の易開封性紙容器の展開図である。
【図７】ブリックタイプの紙容器を示す参考斜視図である。
【発明を実施するための形態】
【００１４】
以下に本発明の実施形態を説明する。
図１は本発明の第１の実施形態のゲーブルトップタイプの易開封性紙容器を示す斜視図、図２はその内面側から見た展開図である。この易開封性紙容器は、表裏両面にポリエチレンなどの熱可塑性樹脂のラミネート層を積層した紙素材を折り曲げて形成したものであり、長方形状の第１パネル１、第２パネル２、第３パネル３、第４パネル４を互いに直角に折り曲げ、第４パネル４の端部に形成された第５パネル５を第１パネル１の側面端部に加熱溶着して貼り合せることによって、四角柱状の筒状体を形成している。
【００１５】
これらの各パネルの下部には、底部横折線６を介して底部パネル７、８、９、１０がそれぞれ連設されている。底部パネル８と底部パネル１０にはそれぞれ２本の傾斜谷折線１１、１１が形成されており、四角柱状の筒状体を形成した後に谷折線１１、１１を折り曲げ、底部パネル７と底部パネル９を重ね合せて加熱溶着することによって、底部が形成されている。
【００１６】
またこれらの各パネルの上部には、上部横折線１３を介して上部パネル１４、１５、１６、１７がそれぞれ連設されている。上部パネル１４と上部パネル１６にはそれぞれ２本の傾斜谷折線１８、１８が形成されており、上部パネル１６の傾斜谷折線１８と上部横折線１３との間には、二等辺三角形状のスパウトパネル１９が形成される。また上部パネル１４の傾斜谷折線１８と上部横折線１３との間には、二等辺三角形状のパテントパネル２０が形成される。さらに上部パネル１５と上部パネル１７には１本の傾斜谷折線２１がそれぞれ形成されている。これらは開封時に外側に折り曲げるための折線である。これらの各パネルにより、周知のゲーブルトップが形成される。
【００１７】
これらの上部パネル１４、１５、１６、１７のさらに上部には、頂部横折線２３を介してトップシールパネル２４、２５、２６、２７がそれぞれ連設されている。これらのトップシールパネルは内溶液を充填後に加熱溶着され、紙容器の頂部をシールするトップシール部となる。なおトップシールパネル２５と２７の高さはトップシールパネル２４、２６よりも高く形成されており、トップシールパネル２５と２７の上半部の溶着部は２枚合わせ部２８となる。またその他のトップシールパネル２４、２５、２６、２７の溶着部は、４枚合わせ部２９となる。トップシールパネル２４、２６の中央には縦折線３０、３１が形成されている。縦折線３１はスパウトパネル１９の上端に位置し、注ぎ口の中心となる部分である。
【００１８】
上記した構造は従来のゲーブルトップタイプの紙容器と同様であるが、本発明ではトップシールパネル２４、２５、２６、２７により形成されるトップシール部に、図１、図２に示すように破線部３２が形成されている。破線部３２は図示のように４枚合わせ部２９に形成されており、各トップシールパネルの全幅にわたって形成されている。
【００１９】
この破線部３２は開封時にトップシール部の上端部を切り取るためのものであり、その始端部には切り取りを容易にするための切込み３３を形成しておくことが好ましい。なお破線部３２は切り取りを容易にするためにミシン目を形成したものとしても、紙素材の一部を薄くしたものとしてもよい。いずれの場合にも破線部３２の表面の熱可塑性樹脂からなるラミネート層は、残しておくものとする。破線部３２は一点鎖線状、二点鎖線状としてもよい。
【００２０】
さらに本発明では、トップシール部のスパウト側では破線部３２の上側を加熱溶着部３５（黒塗りで表示）とし、下側を非加熱溶着部３６とした。また反スパウト側では、破線部３２の上下両側を加熱溶着部３５とした。具体的には、図２に示すように、注ぎ口を形成するトップシールパネル２６では破線部３２の下側を非加熱溶着部３６とするとともに、隣接するトップシールパネル２５、２７では、破線部３２の下側であって傾斜谷折線２１、２１の上端よりもトップシールパネル２６に近い部分を非加熱溶着部３６とした。また、トップシールパネル２６の破線部３２より上側の部分と、これに隣接するトップシールパネル２５、２７の前記非加熱溶着部３６を除いた部分及びトップシールパネル２４の全体を、加熱溶着部３５とした。
【００２１】
このように構成された本発明のゲーブルトップタイプの易開封性紙容器は、従来と同様に内容液を充填して使用されるものであり、開封前はトップシールパネル２４、２５、２６、２７の破線部３２より上側の部分が加熱溶着されているので、液漏れが生ずるおそれはない。
【００２２】
開封の際には、まずトップシール部の上側の部分を破線部３２から切り取る。するとスパウト側ではスパウトを形成するトップシールパネル２６の加熱溶着部３５は除去され、破線部３２より下側の非加熱溶着部３６が残る。このため縦折線３１を中心とするスパウトパネル１９を手前側に引き出せば、容易に注ぎ口（スパウト）を形成することができる。なお反スパウト側では破線部３２の上下両側が加熱溶着部３５となっているので、従来と同様に内容液が流出することもない。
【００２３】
以上に説明した第１の実施形態では、破線部３２をトップシール部のスパウト側と反スパウト側とに形成した。しかし図３に示す参考形態では、破線部３２をトップシール部のスパウト側のみに形成した。
【００２４】
また図４に示す第２の実施形態のように、トップシール部のスパウト側の破線部３２の上側を、紙素材のないラミネート層のみからなる加熱溶着部３５とすることもできる。
【００２５】
さらに図５、図６に示す第３の実施形態のように、非加熱溶着部３６の長さを短くし、注ぎ口（スパウト）を小型化することもできる。ただしこの場合には、第１パネル１と第３パネル３の幅を狭く形成することとなる。
【００２６】
なお本発明の範囲に含まれるものではないが、ブリックタイプの紙容器のトップシール部に開封時にトップシール部の上端部を切り取るための破線部４０を形成した状態を、参考図として図７に示す。使用後にこの破線部４０からトップシール部の上端部を切り取れば、内部の洗浄が容易となる。この場合には底部にも同様に破線部４１を形成することもできる。
【００２７】
以上に説明したように、本発明によれば、従来のような剥離用のコート剤を用いることなく、また液漏れ防止機能を低下させることなく、開封性を向上させた易開封性紙容器を提供することができる。
【符号の説明】
【００２８】
１  第１パネル
２  第２パネル
３  第３パネル
４  第４パネル
５  第５パネル
６  底部横折線
７  底部パネル
８  底部パネル
９  底部パネル
１０  底部パネル
１１  傾斜谷折線
１３  上部横折線
１４  上部パネル
１５  上部パネル
１６  上部パネル
１７  上部パネル
１８  傾斜谷折線
１９  スパウトパネル
２０  パテントパネル
２１  傾斜谷折線
２３  頂部横折線
２４  トップシールパネル
２５  トップシールパネル
２６  トップシールパネル
２７  トップシールパネル
２８  ２枚合わせ部
２９  ４枚合わせ部
３０  縦折線
３１  縦折線
３２  破線部
３３  切込み
３５  加熱溶着部
３６  非加熱溶着部
４０  破線部
４１  破線部
【図１】
0006630224.tif 000002
【図２】
0006630224.tif 000003
【図３】
0006630224.tif 000004
【図４】
0006630224.tif 000005
【図５】
0006630224.tif 000006
【図６】
0006630224.tif 000007
【図７】
0006630224.tif 000008